(57)【要約】【課題】２枚の蓄積性蛍光体シートに記録される放射線画像情報が損ねられることなく、それぞれの蓄積性蛍光体シートの取り出しを容易とするカセッテ。【解決手段】カセッテ１０の筐体１２には、放射線が照射される撮像面１８と反対側のリアパネル２６と、このリアパネルに隣接する蓄積性蛍光体シート１４Ａの間に、スライド機構４２、４４が設けされ、リアパネルに形成された長孔３０には、スライド機構４２のノブ３０が設けられ、長孔３２には、スライド機構４４のノブ３６が設けられている。これによりカセッテでは、ノブ３４を矢印Ｘ方向へ移動したときに挿通口３８から蓄積性蛍光体シート１４Ａの端部が突出され、ノブ３６を矢印Ｙ方向へ移動したときに、挿通口４０から蓄積性蛍光体シート１４Ｂの端部が突出され、蓄積性蛍光体シート１４Ａ、１４Ｂのそれぞれが筐体から引き出し可能となる。【選択図】図１
2010160392.tif 000002
【特許請求の範囲】
【請求項１】
矩形箱体形状に形成され一方の面が放射線の照射される撮像面とされ他方の面が非撮像面とされて、撮像面と非撮像面の間に第１及び第２の蓄積性蛍光体シートが重ねられて収容される筐体と、
前記筐体の前記非撮像面側に設けられた第１のノブが非撮像面に沿って移動操作されることにより、前記第１の蓄積性蛍光体シートを前記第１のノブの移動方向へ移動する第１の移動機構と、
前記筐体の前記非撮像面側に設けられた第２のノブが非撮像面に沿って移動操作されることにより、前記第２の蓄積性蛍光体シートを前記第２のノブの移動方向へ移動する第２の移動機構と、
前記第１のノブの移動操作によって移動される前記第１の蓄積性蛍光体シートの移動方向側の前記筐体の端面に形成されて、前記第１の蓄積性蛍光体シートが挿通可能とされたスリット状の第１の開口部と、
前記第２のノブの移動操作によって移動される前記第２の蓄積性蛍光体シートの移動方向側の前記筐体の端面に形成されて、前記第２の蓄積性蛍光体シートが挿通可能とされたスリット状の第２の開口部と、
を含むカセッテ。
【請求項２】
前記第１の移動機構が、
前記非撮像面側のパネルと該パネルに隣接する第１の蓄積性蛍光体シートとの間に長手方向が前記第１の蓄積性蛍光体シートの前記移動方向に沿って配置され、長手方向の一端側に前記第１のノブが設けられた第１の連結バーと、
前記第１の連結バーの長手方向の他端に連結されて、前記第１の蓄積性蛍光体シートの前記第１の開口部と反対側の端部に対向して配置され、前記第１のノブが前記第１の開口部へ向けて移動操作されたときに前記第１の蓄積性蛍光体シートを第１の開口部へ向けて押圧する第１の押圧板と、
を含み、前記第２の移動機構が、
前記パネルと該パネルに隣接する第１の蓄積性蛍光体シートとの間に長手方向が前記第２の蓄積性蛍光体シートの前記移動方向に沿って配置され、長手方向の一端側に前記第２のノブが設けられた第２の連結バーと、
前記第２の連結バーの長手方向の他端に、前記第１の蓄積性蛍光体シートを跨ぐように連結されて、前記第２の蓄積性蛍光体シートの前記第２の開口部と反対側の端部に対向して配置され、前記第２のノブが前記第２の開口部へ向けて移動操作されたときに前記第２の蓄積性蛍光体シートを第２の開口部へ向けて押圧する第２の押圧板と、
を含む請求項１に記載のカセッテ。
【請求項３】
前記第１及び前記第２のノブの移動方向が互いに交差する方向とされている請求項１又は請求項２に記載のカセッテ。
【発明の詳細な説明】
【技術分野】
【０００１】
本発明は、蓄積性蛍光体シートを収容するカセッテに関する。詳細には、２枚の蓄積性蛍光体シートを重ねて収容されて放射線画像情報の記録が行われるカセッテに関する。
【背景技術】
【０００２】
蓄積性蛍光体からなる層を有するシート（以下、蓄積性蛍光体シートとする）には、人体などの放射線画像情報を記録することができる。放射線画像情報が記録された蓄積性蛍光体シートは、レーザー光などの励起光が照射されることにより輝尽発光が生じる。ここから、放射線画像情報が記録された蓄積性蛍光体シートへ励起光を走査しながら照射し、輝尽発光によって発せられる光（以下、輝尽光とする）を光学的に読み出して画像信号を得ることにより、この画像信号を用いて、放射線画像情報を写真感光材料などの記録材料、ＣＲＴなどの表示デバイス上に可視画像として再現することができる。
【０００３】
このような蓄積性蛍光体シートは、遮光性のカセッテに収容されて取り扱われ、被写体を透過した放射線がカセッテの一方の面（撮像面）に照射されることにより放射線画像情報が記録される。また、放射線画像情報が記録された蓄積性蛍光体シートは、カセッテから取り出されて放射線画像情報の読み取りが行われる。
【０００４】
このときに、例えば、特許文献１では、カセッテの撮像面と反対側の面に蓋体を形成し、この蓋体を開いて蓄積性蛍光体シートの取り出しや挿入が行われるようにしたカセッテを提案している。
【０００５】
また、特許文献２では、カセッテを撮影面側の蓋体と、撮影面と反対側の筐体とに分離可能として、蓋体を筐体から分離することにより筐体内を開放して、蓄積性蛍光体シートが取り出し可能に露出されるようにした提案がなされている。
【０００６】
一方、２枚の蓄積性蛍光体シートと、この蓄積性蛍光体シートの間に散乱放射線を吸収するグリッドを配置して収容したカセッテを用い、蓄積性蛍光体シートに、散乱放射線を含む放射線画像情報と散乱放射線が除かれた放射線画像情報を記録する提案がなされている（例えば、特許文献３参照。）。
【０００７】
また、従来より放射線画像情報のサブストラクション処理が知られており、２枚の蓄積性蛍光体シートの間に放射線エネルギー変換用フィルタを挿入可能としたカセッテの提案がなされている（例えば、特許文献４参照。）。
【０００８】
ところで、２枚の蓄積性蛍光体シートとこの蓄積性蛍光体シートの間に放射線エネルギー変換用フィルタを重ねてカセッテに収容した場合にも、２枚の蓄積性蛍光体シートを個別に取り出す必要がある。
【０００９】
このときに、カセッテの両面に別々の取り出し機構を設けると、蓄積性蛍光体シートに放射線画像情報を記録したときに、この取り出し機構を形成する部品の影が放射線画像情報として現れてしまうなどして、蓄積性蛍光体シートに記録される放射線画像情報を損ねてしまうことがある。
【特許文献１】特開平４−３１５０号公報
【特許文献２】特開２００５−２５０１６６号公報
【特許文献３】特開昭６２−９２６６２号公報
【特許文献４】特開平１−３０４４４７号公報
【発明の開示】
【発明が解決しようとする課題】
【００１０】
本発明は上記事実に鑑みてなされたものであり、放射線エネルギー変換用フィルタなどを挟むなどして２枚の蓄積性蛍光体シートが収容されるときに、蓄積性蛍光体シートに記録される放射線画像情報を損ねてしまうこと無く、また、それぞれの蓄積性蛍光体シートを取り出すときの構成が複雑化することのないカセッテを提供することを目的とする。
【課題を解決するための手段】
【００１１】
上記目的を達成するために本発明は、矩形箱体形状に形成され一方の面が放射線の照射される撮像面とされ他方の面が非撮像面とされて、撮像面と非撮像面の間に第１及び第２の蓄積性蛍光体シートが重ねられて収容される筐体と、前記筐体の前記非撮像面側に設けられた第１のノブが非撮像面に沿って移動操作されることにより、前記第１の蓄積性蛍光体シートを前記第１のノブの移動方向へ移動する第１の移動機構と、前記筐体の前記非撮像面側に設けられた第２のノブが非撮像面に沿って移動操作されることにより、前記第２の蓄積性蛍光体シートを前記第２のノブの移動方向へ移動する第２の移動機構と、前記第１のノブの移動操作によって移動される前記第１の蓄積性蛍光体シートの移動方向側の前記筐体の端面に形成されて、前記第１の蓄積性蛍光体シートが挿通可能とされたスリット状の第１の開口部と、前記第２のノブの移動操作によって移動される前記第２の蓄積性蛍光体シートの移動方向側の前記筐体の端面に形成されて、前記第２の蓄積性蛍光体シートが挿通可能とされたスリット状の第２の開口部と、を含む。
【００１２】
この発明によれば、筐体の撮像面側に第１及び第２のノブが設けられ、第１のノブの移動操作によって第１の蓄積性蛍光体シートが、筐体内を移動して第１の開口部から突出される。また、第２のノブの移動操作によって第２の蓄積性蛍光体シートが、筐体内を移動して第２の開口部から突出される。
【００１３】
これにより、筐体内から第１及び第２の蓄積性蛍光体シートの取り出しが可能となる。また、第１及び第２の蓄積性蛍光体シートを移動するための第１及び第２のノブは、非撮像面側に設けられているので、第１及び第２のノブが第１及び第２の蓄積性蛍光体シートに形成される放射線画像情報に影響を及ぼすことがないので、第１及び第２の蓄積性蛍光体シートのそれぞれに高品質の放射線画像情報を記録することが可能となる。
【００１４】
このような本発明では、前記第１の移動機構が、前記筐体を形成する前記非撮像面側のパネルと該パネルに隣接する第１の蓄積性蛍光体シートとの間に長手方向が前記第１の蓄積性蛍光体シートの前記移動方向に沿って配置され、長手方向の一端側に前記第１のノブが設けられた第１の連結バーと、前記第１の連結バーの長手方向の他端に連結されて、前記第１の蓄積性蛍光体シートの前記第１の開口部と反対側の端部に対向して配置され、前記第１のノブが前記第１の開口部へ向けて移動操作されたときに前記第１の蓄積性蛍光体シートを第１の開口部へ向けて押圧する第１の押圧板と、を含み、前記第２の移動機構が、前記パネルと該パネルに隣接する第１の蓄積性蛍光体シートとの間に長手方向が前記第２の蓄積性蛍光体シートの前記移動方向に沿って配置され、長手方向の一端側に前記第２のノブが設けられた第２の連結バーと、前記第２の連結バーの長手方向の他端に、前記第１の蓄積性蛍光体シートを跨ぐように連結されて、前記第２の蓄積性蛍光体シートの前記第２の開口部と反対側の端部に対向して配置され、前記第２のノブが前記第２の開口部へ向けて移動操作されたときに前記第２の蓄積性蛍光体シートを第２の開口部へ向けて押圧する第２の押圧板と、を含むことができる。
【００１５】
これにより、第１及び第２の移動機構が、第１及び第２の蓄積性蛍光体シートに記録される放射線画像情報に影響を及ぼしてしまうことがないと共に、第１及び第２の蓄積性蛍光体シートを１枚ずつ取り出すことができる。
【００１６】
また、本発明のカセッテは、前記第１及び前記第２のノブの移動方向が互いに交差する方向とされとすることができる。このときに、第１の開口部に対する第１のノブの位置及び移動方向と、第２の開口部に対する第２のノブの位置及び移動方向などが所定の関係を満たすように構成されることが好ましい。これにより、第１及び第２の蓄積性蛍光体シートに記録された放射線画像情報を読み取るときに、第１及び第２の開口部から突出された第１及び第２の蓄積性蛍光体シートの引き出し機構等の共通化を図ることができる。
【発明の効果】
【００１７】
以上説明したように本発明によれば、２枚の蓄積性蛍光体シートを収容して、この蓄積性蛍光体シートのそれぞれに放射線画像情報を記録するときに、放射線の照射面となる撮像面と異なる非撮像面側に、第１及び第２の移動機構を設けているので、第１及び第２の移動機構を構成する部品などが蓄積性蛍光体シートに記録される放射線画像情報に影響を及ぼすことがないので、高品質の画像記録が可能となる。
【００１８】
また、本発明では、筐体の同一面に第１及び第２のノブを設けているので、蓄積性蛍光体シートに記録された画像読取装置側では、一系統の搬送系等を用いて２枚の蓄積性蛍光体シートのそれぞれに記録された放射線画像情報を読み込むことができる。また、このときに、画像読取装置では、カセッテから取り出した蓄積性蛍光体シートの表裏が反転してしまうことがない。
【発明を実施するための最良の形態】
【００１９】
以下に、図面を参照しながら本発明の実施の形態を説明する。図１及び図２には、本実施の形態に適用したエネルギーサブストラクション用のカセッテ１０が示されている。このカセッテ１０は、矩形箱体形状に形成された筐体１２を備え、図２に示されるように、この筐体１２内に蓄積性蛍光体シート１４と放射線エネルギー変換用フィルタ（以下、変換用フィルタとする）１６とが収容される。
【００２０】
本実施の形態に適用されるカセッテ１０では、２枚の蓄積性蛍光体シート１４Ａ、１４Ｂ（以下、総称するときに蓄積性蛍光体シート１４とする）が用いられ、２枚の蓄積性蛍光体シート１４Ａ、１４Ｂの間に変換用フィルタ１６が配置されて重ねられている。なお、蓄積性蛍光体シート１４（１４Ａ、１４Ｂ）としては、方形を含む矩形形状であれば、任意のサイズを適用することができる。また、筐体１２及び変換用フィルタ１６は、蓄積性蛍光体シート１４のサイズに合わせた大きさとすれば良い。以下では、筐体１２の一辺に沿った方向を矢印Ｘ方向、この辺に隣接する辺に沿った方向（矢印Ｘ方向と直交する方向）を矢印Ｙ方向として説明する。
【００２１】
蓄積性蛍光体シート１４（１４Ａ、１４Ｂ）には、蓄積性蛍光体を用いた層（蓄積性蛍光体層）が設けられている。蓄積性蛍光体は、被写体を透過した放射線又は被写体から発せられる放射線が照射されることにより、この放射線を吸収する。これにより、蓄積性蛍光体シート１４には、照射された放射線に応じた情報（放射線画像情報）が蓄積性蛍光体層に記録される。また、蓄積性蛍光体は、レーザー光などの電磁波が励起光として照射されることにより、吸収している放射線エネルギーを蛍光として放出する輝尽発光が生じる。
【００２２】
ここから、放射線画像情報が記録された蓄積性蛍光体シート１４に励起光を走査しながら照射（時系列的に照射）し、これにより蓄積性蛍光体から放出される蛍光（輝尽光）を光学的に読み取って電気信号に変換する。この電気信号に対して所定の画像処理を施すことにより、放射線画像情報を可視化する画像又は画像データが得られる。
【００２３】
カセッテ１０の筐体１２は、遮光性を有するが放射線の透過が可能な一般的材質で形成されている。これにより、カセッテ１０では、蓄積性蛍光体シート１４を収容した状態で、この蓄積性蛍光体シート１４への放射線画像情報の記録が可能となっている。このときに、カセッテ１０には、筐体１２の一方の面から放射線が照射される。なお、以下では、この面を撮像面１８（図１（Ｂ）参照）とし、この撮像面１８と反対側の面を裏面２０（図１（Ａ）参照）とし、図２に示されるように、筐体１２には、撮像面１８側（図２の紙面下側）に蓄積性蛍光体シート１４Ｂが収容され、裏面２０側に蓄積性蛍光体シート１４Ａが収容されるものとして説明する。
【００２４】
変換用フィルタ（放射線エネルギー変換用フィルタ）１６は、銅、タングステン、モリブデンなどの重金属が用いられて薄板状（例えば、０．８ｍｍ〜２．０ｍｍ程度）に形成されている。この変換用フィルタ１６は、所定波長の電磁波（放射線）を吸収する。
【００２５】
カセッテ１０では、蓄積性蛍光体シート１４Ａ、１４Ｂの間に変換用フィルタ１６が配置されていることにより、変換用フィルタ１６を通過した放射線が蓄積性蛍光体シート１４Ａに照射される。これにより、カセッテ１０では、例えば、蓄積性蛍光体シート１４Ｂには、高エネルギー成分の放射線画像情報が記録され、蓄積性蛍光体シート１４Ａには、変換用フィルタ１６を透過した放射線が照射されることにより低エネルギー成分の放射線画像情報が記録される。
【００２６】
カセッテ１０は、蓄積性蛍光体シート１４に放射線画像情報が記録されると、蓄積性蛍光体シート１４から放射線画像情報を読み取る画像情報読取再生装置（例えば、図４に示される画像読取装置２２）に装着される。この画像読取装置２２では、カセッテ１０の筐体１２から蓄積性蛍光体シート１４Ａ、１４Ｂを一枚ずつ取り出して、蓄積性蛍光体シート１４Ａ、１４Ｂのそれぞれに記録されている放射線画像情報の読み取りを行う。
【００２７】
また、画像読取装置２２では、放射線画像情報の読み取りが終了した蓄積性蛍光体シート１４に記録されている放射線画像情報を消去し、この後に、蓄積性蛍光体シート１４を筐体１２内に装填する。放射線画像情報の読み取りが終了した蓄積性蛍光体シート１４が装填されたカセッテ１０は、新たな放射線画像情報の記録が可能となっている。
【００２８】
図２に示されるように、カセッテ１０の筐体１２は、撮像面２０側のフロントパネル２４と裏面２０側のリアパネル２６と、フロントパネル２４とリアパネル２６の間に配置された矩形形状の側枠２８とによって形成されている。蓄積性蛍光体シート１４Ａ、１４Ｂ及び変換用フィルタ１６は、フロントパネル２４とリアパネル２６の間に重ねて配置されて収容される。
【００２９】
ところで、図１（Ａ）及び図２に示されるように、本実施の形態に適用したカセッテ１０の筐体１２には、裏面２０側のリアパネル２６に、矢印Ｘ方向に沿う長孔３０と、矢印Ｙ方向に沿う長孔３２が形成されている。長孔３０は、筐体１２の矢印Ｙ方向に沿った中間部に形成され、長孔３２は、筐体１２の矢印Ｘ方向に沿った中間部に形成されている。
【００３０】
この長孔３０、３２は、長手方向に沿った開口長さが同じに形成されている。また、長孔３０、３２には、ノブ３４、３６が配置され、ノブ３４が長孔３０内を矢印Ｘ方向に沿って移動可能とされ、ノブ３６が長孔３２内を矢印Ｙ方向に沿って移動可能と成されている。
【００３１】
筐体１２の側枠２８には、矢印Ｘ方向側の側面２８Ａにスリット状の挿通口３８が形成され、矢印Ｙ方向側の側面２８Ｂにスリット状の挿通口４０が形成されている。図２に示されるように、挿通口３８は、筐体１２内に収容された蓄積性蛍光体シート１４Ａに対向され、この蓄積性蛍光体シート１４Ａが通過可能な開口高さ及び開口幅とされている。また、挿通口４０は、筐体１２内に収容された蓄積性蛍光体シート１４Ｂに対向され、この蓄積性蛍光体シート１４Ｂが通過可能な開口高さ及び開口幅とされている。
【００３２】
これにより、カセッテ１０では、側面２８Ａの挿通口３８から蓄積性蛍光体シート１４Ａの出し入れ（挿入／引き出し）が可能となっており、側面２８Ｂの挿通口４０から蓄積性蛍光体シート１４Ｂの出し入れが可能となっている。
【００３３】
長孔３０、３２は、長孔３０の先端から側面２８Ａまでの距離と、長孔３２から側面２８Ｂまでの距離が同じとされている。なお、本実施の形態では、これにより、長孔３０、３２が十字状に交差されて形成されている。
【００３４】
一方、カセッテ１０には、筐体１２内に蓄積性蛍光体シート１４Ａを移動するスライド機構４２及び、蓄積性蛍光体シート１４Ｂを移動するスライド機構４４が設けられている。ノブ３４は、スライド機構４２に含まれ、ノブ３６は、スライド機構４４に含まれる。
【００３５】
スライド機構４２は、帯板状の連結バー４６を備え、この連結バー４６の長手方向の一端部にピン４８が立設されている。連結バー４６は、筐体１２内のリアパネル２６側（リアパネル２６と蓄積性蛍光体シート１４Ａとの間）に、長手方向が矢印Ｘ方向（長孔３０の長手方向）に沿って配置され、ピン４８が長孔３０へ挿入されている。また、このピン４８の先端部には、ノブ３４が取り付けられている。
【００３６】
また、連結バー４６の他端には、押圧板５０が取り付けられている。図３（Ａ）に示されるように、押圧板５０は、蓄積性蛍光体シート１４Ａの矢印Ｘ方向と反対方向の端面に対向され、リアパネル２６と変換用フィルタ１６との間の隙間（蓄積性蛍光体シート１４Ａが配置されている空間）を移動可能な寸法となっている。
【００３７】
連結バー４６は、ピン４８に取り付けられたノブ３４が長孔３０の矢印Ｘ方向と反対側の端部に位置したときに、押圧板５０が筐体１２内に収容された状態の蓄積性蛍光体シート１４Ａの端面に当接する長さとなっている。
【００３８】
押圧板５０には、嵌合溝５０Ａが形成されており、筐体１２に蓄積性蛍光体シート１４Ａが収容されているときには、この蓄積性蛍光体シート１４Ａの端部が嵌合溝５０Ａに着脱可能に嵌め込まれる。これにより、蓄積性蛍光体シート１４Ａは、ノブ３４の長孔３０内の移動に伴って筐体１２内を矢印Ｘ方向に沿って移動可能となっている。また、蓄積性蛍光体シート１４Ａは、所定以上の引張力で矢印Ｘ方向へ引かれることにより、端部が嵌合溝５０Ａから抜き出されて係合状態が解除される。
【００３９】
図２に示されるように、スライド機構４４は、帯板状の連結バー５２を備え、この連結バー５２の長手方向の一端部にピン５４が立設されている。連結バー５２は、連結バー４６と同様に筐体１２内のリアパネル２６側（リアパネル２６と蓄積性蛍光体シート１４Ａとの間）に配置されている。また、連結バー５２は、長手方向が矢印Ｙ方向（長孔３２の長手方向）に沿って配置され、ピン５４が長孔３２へ挿入され、このピン５４の先端部にノブ３６が取り付けられている。
【００４０】
この連結バー５２の他端には、支持フレーム５６が取り付けられている。この支持フレーム５６は、長手方向が連結バー５２の長手方向と交差する方向に沿って配置された支持バー５８と、この支持バー５８の長手方向の両端に対で取り付けられた脚部６０Ａ、６０Ｂによって略コ字状に形成されている。
【００４１】
この支持バー５８は、蓄積性蛍光体シート１４Ａ及び変換用フィルタ１６の矢印Ｘ方向に沿った長さより僅かに長くされ、一対の脚部６０Ａ、６０Ｂは、蓄積性蛍光体シート１４Ａ及び変換用フィルタ１６と側枠２８の間に配置され、これにより、支持フレーム５６が、蓄積性蛍光体シート１４Ａ及び変換用フィルタ１６を跨ぐように配置されている。
【００４２】
この支持フレーム５６には、脚部６０Ａ、６０Ｂの間に押圧板６２が掛け渡されている。図３（Ｂ）に示されるように、押圧板６２は、蓄積性蛍光体シート１４Ｂの矢印Ｙ方向と反対方向の端面に対向され、変換用フィルタ１６とフロントパネル２４との間の隙間（蓄積性蛍光体シート１４Ｂが配置されている空間）を移動可能な寸法となっている。
【００４３】
スライド機構４４では、ピン５４に取り付けられたノブ３６が長孔３２の矢印Ｙ方向と反対側の端部に位置したときに、支持フレーム５６の脚部６０Ａ、６０Ｂが蓄積性蛍光体シート１４Ａ及び変換用フィルタ１６から外れ、押圧板６２が、筐体１２内に収容された状態の蓄積性蛍光体シート１４Ｂの端面に当接する長さで支持バー５２が形成されている。
【００４４】
押圧板６２には、嵌合溝６２Ａが形成されており、筐体１２に収容された蓄積性蛍光体シート１４Ｂの端部が嵌合溝６２Ａに着脱可能に嵌め込まれる。これにより、蓄積性蛍光体シート１４Ｂは、連結バー５２及び支持フレーム５６と一体で筐体１２内を矢印Ｙ方向に沿った移動が可能となっている。このとき、支持フレーム５６が蓄積性蛍光体シート１４Ａ及び変換用フィルタ１６を跨ぐように形成されていることにより、押圧板６２が蓄積性蛍光体シート１４Ａ及び変換用フィルタ１６と干渉することなく移動可能となっている。また、蓄積性蛍光体シート１４Ｂは、所定以上の引張力で矢印Ｙ方向へ引かれることにより、蓄積性蛍光体シート１４Ｂの端部が嵌合溝６２ＡＡから抜き出されて係合状態が解除される。
【００４５】
これによりカセッテ１０では、ノブ３４が長孔３０内で矢印Ｘ方向へ移動操作されることにより、蓄積性蛍光体シート１４Ａが矢印Ｘ方向へ移動されて端部が挿通口３８から突出され、ノブ３６が長孔３２内で矢印Ｙ方向へ移動操作されることにより、蓄積性蛍光体シート１４Ｂが矢印Ｙ方向へ移動されて端部が挿通口４０から突出される。蓄積性蛍光体シート１４Ａは、挿通口３８から突出された端部が引っ張られることにより筐体１２から引き出され、蓄積性蛍光体シート１４Ｂは、挿通口４０から突出された端部が引っ張られることにより筐体１２から引き出される。
【００４６】
また、挿通口３８から引き出された蓄積性蛍光体シート１４Ａは、挿通口３８から筐体１２内に挿入され、端部が押圧５０の嵌合溝５０Ａへ嵌め込まれることにより、ノブ３４と一体で矢印Ｘ方向に沿って移動可能となり、挿通口４０から引き出された蓄積性蛍光体シート１４Ｂは、挿通口４０から筐体１２内に挿入され、端部が押圧板６２の嵌合溝６２Ａへ嵌め込まれることにより、ノブ３６と一体で矢印Ｙ方向へ移動可能となる。
【００４７】
これにより、カセッテ１０では、挿入口３８、４０から挿入された蓄積性蛍光体シート１４Ａ、１４Ｂが、ノブ３４、３６の操作によって筐体１２内へ引き入れられて収容される。なお、図３（Ａ）及び図３（Ｂ）に示されるように、筐体１２には、フロントパネル２４、リアパネル２６及び側枠２８の内面に不織布６４が配設されている。これにより、カセッテ１０では、蓄積性蛍光体シート１４Ａ、１４Ｂに擦過等による損傷防止及び長孔３０、３２、挿通口３８、４０の遮光がなされている。また、カセッテ１０では、長孔３０、３２及び挿通口３８、４０に遮光手段が設けられ、筐体１２の内部の遮光性が保持された状態でノブ３４、３６の移動及び挿通口３８、４０での蓄積性蛍光体シート１４Ａ、１４Ｂの通過が可能となっている。
【００４８】
一方、図４には、このカセッテ１０が装着される画像読取装置２２の一例が示されている。
【００４９】
この画像読取装置２２には、蓄積性蛍光体シート１４が収容されたカセッテ１０が装填されるカセッテ装填部６６が設けられている。このカセッテ装填部６６には、カセッテ１０の装填口６８が形成されている。カセッテ１０は、挿通口３８が形成された側面２８Ａ側又は、挿通口４０が形成された側面２８Ｂ側から装填口６８へ挿入される。このときに、カセッテ１０は、裏面２０（リアパネル２６）に形成されている長孔３０、３２が所定位置まで挿入されるように装填される。
【００５０】
カセッテ装填部６６には、装填口６８から挿入されたカセッテ１０のリアパネル２６側に対向してシート送り部７０が設けられている。すなわち、カセッテ１０は、リアパネル２６がシート送り部７０に対向する向きで、カセッテ装填部６６に装填される。
【００５１】
このシート送り部７０には、筐体１２のリアパネル２６に設けられているノブ３０、３２に対向するノッチ７２及び、ノッチ７２をカセッテ１０の挿入方向及び引き出し方向に沿って移動するアクチュエータ７４を備えている。
【００５２】
ノッチ７２は、カセッテ装填部６６に装填されたカセッテ１０のノブ３４、３６に対向され、カセッテ１０が挿通口３８側から挿入されるとノブ３４に係合し、カセッテ１０が挿通口４０側から挿入されるとノブ３６に係合する。また、ノッチ７２は、カセッテ１０をカセッテ装填部６６から引き出すときにノブ３４、３６との係合が解除される。
【００５３】
アクチュエータ７４は、ノブ３４又はノブ３６が係合されたノッチ７２を矢印Ａ方向又は矢印Ａ方向と反対方向へ移動する。カセッテ１０は、このノッチ７２の移動によってノブ３４が移動されることにより、蓄積性蛍光体シート１４Ａが矢印Ｘ方向又は矢印Ｘ方向と反対方向へ移動され、ノブ３６が移動されることにより、蓄積性蛍光体シート１４Ｂが矢印Ｙ方向又は矢印Ｙ方向と反対方向へ移動される。これにより、カセッテ１０では、蓄積性蛍光体シート１４の突出及び、筐体１２内への引き入れがなされる。
【００５４】
一方、画像読取装置２２には、カセッテ１０の挿通口３８又は挿通口４０から突出される蓄積性蛍光体シート１４の端部に対向されて吸盤７６及び搬送ローラ対７８が設けられている。
【００５５】
吸盤７６は、筐体１２から突出された蓄積性蛍光体シート１４を吸着して搬送ローラ対７８へ送り込む。これにより、蓄積性蛍光体シート１４が筐体１２から引き出されて画像読取装置２２内を搬送される。また、吸盤７６は、搬送ローラ対７８に戻された蓄積性蛍光体シート１４を吸着して、筐体１２内へ挿入する。このとき、例えば、吸盤７６は、搬送ローラ対７８からカセッテ１０へ向けて送り出される蓄積性蛍光体シート１４の先端部を吸着し、筐体１２の挿通口３８又は挿通口４０へ挿入し、搬送ローラ対７８の駆動によって筐体１２内へ押込まれた蓄積性蛍光体シート１４の後端部を吸着して、筐体１２内に送り込む。
【００５６】
これにより、筐体１２内に送り込まれた蓄積性蛍光体シート１４の端部が押圧板５０の嵌合溝５０Ａ又は押圧板６２の嵌合溝６２Ａに嵌め込まれ、この状態で、アクチュエータ７４が作動してノッチ７２が矢印Ａ方向と反対方向へ移動されることにより、蓄積性蛍光体シート１４が筐体１２内に収容される。
【００５７】
このように構成されている本実施の形態では、筐体１２内に蓄積性蛍光体シート１４Ａ、１４Ｂ及び変換用フィルタ１６が収容されたカセッテ１０を用いて蓄積性蛍光体シート１４Ａ、１４Ｂへの放射線画像情報の記録が行われる。
【００５８】
ここで、カセッテ１０は、撮像面１８となっている筐体１２のフロントパネル２４を被写体等へ対向される。これにより、被写体から発せられた放射線又は被写体を透過した放射線が撮像面１８から蓄積性蛍光体シート１４Ａ、１４Ｂへ照射される。このときに、カセッテ１０では、蓄積性蛍光体シート１４、１４Ｂの被写体側（放射線の照射側）に、フロントパネル２４が配置されているのみであるために、不要な部品の影などが蓄積性蛍光体シート１４Ａ、１４Ｂの放射線画像情報として記録されてしまうことがない。
【００５９】
一方、蓄積性蛍光体シート１４Ａ、１４Ｂに放射線画像情報が記録されたカセッテ１０は、例えば、画像読取装置２２に装填されて、放射線画像情報の読み込みが行われる。なお、以下では、蓄積性蛍光体シート１４Ａ、１４Ｂの順で画像読み込みが行われるものとして説明する。
【００６０】
蓄積性蛍光体シート１４Ａに記録された放射線画像情報を読み出すときには、シート送り部７０にリアパネル２６が対向するようにして、蓄積性蛍光体シート１４Ａに対応する挿通口３８側からカセッテ１０を画像読取装置２２のカセッテ装填部６６に装填する。
【００６１】
画像読取装置２２では、カセッテ装填部６６にカセッテ１０が装填されるとアクチュエータ７４を作動し、ノッチ７２を送り出し方向へ移動する。これにより、ノッチ７２に係合されているノブ３４が長孔３０内を矢印Ｘ方向へ移動し、これに伴って蓄積性蛍光体シート１４Ａが筐体１２内を矢印Ｘ方向へ移動し、挿通口３８から突出される。
【００６２】
画像読取装置２２では、カセッテ１０から蓄積性蛍光体シート１４Ａの先端部を突出させると、この蓄積性蛍光体シート１４Ａを吸盤７６によって吸着して、カセッテ１０から引き出し、蓄積性蛍光体シート１４Ａに記録された放射線画像情報の読み取り及び放射線画像情報の消去を行う。この後、画像読取装置２２では、搬送ローラ対７８に戻されて突出した蓄積性蛍光体シート１４Ａの端部を吸盤７６によって吸着し、カセッテ１０の挿通口３８へ挿入して、筐体１２内へ蓄積性蛍光体シート１４Ａを送り込む。
【００６３】
このようにして筐体１２内に挿入されることにより蓄積性蛍光体シート１４Ａの端部が押圧板５０の嵌合溝５０Ａへ係合した状態で、アクチュエータ７４が駆動されることにより、ノブ３４が矢印Ｘ方向と反対方向へ移動される。これにより、蓄積性蛍光体シート１４Ａの端部が挿通口３８から筐体１２内に引き入れられ、蓄積性蛍光体シート１４Ａが筐体１２内に収容される。
【００６４】
蓄積性蛍光体シート１４Ａに記録された放射線画像情報の読み込みを行うときには、一旦、カセッテ１０をカセッテ装填部６６から取り出し、シート送り部７０にリアパネル２６が対向するようにして、蓄積性蛍光体シート１４Ｂに対応する挿通口４０側からカセッテ装填部６６へ再装填する。
【００６５】
これにより、アクチュエータ７４が作動して、ノブ３６が矢印Ｙ方向へ移動されると、蓄積性蛍光体シート１４Ｂの端部が挿通口４０から突出される。画像読取装置２２では、この蓄積性蛍光体シート１４Ｂを筐体１２から引き出して、放射線画像情報の読み取り及び消去を行うと、この蓄積性蛍光体シート１４Ｂを筐体１２内に戻す。
【００６６】
このように、カセッテ１０では、挿通口３８、４０に対して、相対的位置及び相対的な移動方向が一致するようにノブ３４、３６を設けているので、画像読取装置２２の装填口６８に挿入して蓄積性蛍光体シート１４Ａ、１４Ｂに記録された放射線画像情報の読み取りを行うときに、カセッテ１０の向きを換える簡単な操作で、蓄積性蛍光体シート１４Ａ、１４Ｂのそれぞれに記録されている放射線画像情報を読み出すことができる。
【００６７】
また、画像読取装置２２では、同一の搬送系などの機構を用いて２枚の蓄積性蛍光体シート１４Ａ、１４Ｂに記録された放射線画像情報の読み取りを行うことができる。
【００６８】
さらに、カセッテ１０では、同一面側にノブ３４、３６を設けているので、筐体１２の表裏（撮像面１８と裏面２０）を反転することなく、画像読取装置２２へ装填することができる。これにより、画像読取装置２２で同一の搬送系を用いて蓄積性蛍光体シート１４Ａ、１４Ｂの放射線画像情報の読み取りを行ったときに、読み取られた放射線画像情報が反転してしまっていることがない。
【００６９】
なお、本実施の形態では、蓄積性蛍光体シート１４Ａ、１４Ｂを移動する機構としてスライド機構４２、４４を用いて説明したが、これに限らず、リアパネル２６と蓄積性蛍光体シート１４Ａとの間で移動可能とされ、かつ、フロントパネル２４側の蓄積性蛍光体シート１４Ｂを移動するときに、蓄積性蛍光体シート１４Ａ及び変換用フィルタ１６と干渉することのない構成であれば、任意の構成を適用することができる。
【００７０】
また、本実施の形態は、本発明の一例を示すものであり、本発明の構成を限定するものではない。例えば、本実施の形態では、方形形状の蓄積性蛍光体シート１４（１４Ａ、１４Ｂ）を収容するカセッテ１０を例に説明したが、これに限らず、一辺が他辺より長い長尺状の蓄積性蛍光体シートなどの矩形形状の蓄積性蛍光体シートを収容するカセッテに適用でき、このときの筐体のサイズは、収容される蓄積性蛍光体シートに合わせたものであればよい。
【００７１】
また、本発明は、少なくともカセッテの非撮像面側に蓄積性蛍光体シートの移動機構を設けたものであれば良い。
【００７２】
ここから、例えば、図５に示される構成を適用することができる。このカセッテ８０では、蓄積計蛍光体シート１４として、矩形形状の蓄積性蛍光体シート１４Ｃ、１４Ｄが収容され、筐体８２が蓄積性蛍光体シート１４Ｃ、１４Ｄに合わせた矩形箱体形状に形成されている。このカセッテ８０の筐体８２には、撮像面（図示省略）反対側の裏面を形成するリアパネル８４に、長手方向が矢印Ｘ方向に沿う長孔８６及び、長手方向が矢印Ｘ方向と交差する矢印Ｙ方向に沿う長孔８８が形成され、この長孔８６、８８の長手方向に沿って移動可能とされたノブ９０、９２が設けられている。
【００７３】
また、筐体８２には、矢印Ｘ方向側の側面９４Ａに、蓄積性蛍光体シート１４Ｃに対応する挿通口９６が形成され、矢印Ｙ方向側の側面９４Ｂに、蓄積性蛍光体シート１４Ｄに対応する挿通口９８が形成されている。これと共に、筐体８２内には、リアパネル８４とリアパネル８４側の蓄積性蛍光体シート１４Ｃとの間に、蓄積性蛍光体シート１４Ｃ、１４Ｄに対応するスライド機構（図示省略）が設けられている。
【００７４】
これにより、カセッテ８０では、撮像面側に照射される放射線によって蓄積性蛍光体シート１４Ｃ、１４Ｄに放射線画像情報が記録されたときに、カセッテ８０を形成する部品によって放射線画像情報が損ねられてしまうことがない。
【００７５】
また、カセッテ８０では、ノブ９０を矢印Ｘ方向へ移動することにより、蓄積性蛍光体シート１４Ｃの端部が挿通口９６から突出される。また、カセッテ８０では、ノブ９２を矢印Ｙ方向へ移動させたときに蓄積性蛍光体シート１４Ｄが挿通口９８から突出される。
【００７６】
なお、このようなカセッテ８０においては、長孔８６を矢印Ｙ方向の中間部に形成し、長孔８８を矢印Ｙ方向の中間部に形成するなどして、挿通口９６、９８の中心（矢印Ｘ方向又は矢印Ｙ方向の中心）に対して、所定の位置に形成するなど、挿通口９６、９８に対して長孔８６、８８の相対的位置及びノブ９０、９２の移動方向及び移動可能量が同等となるように形成すればよい。
【００７７】
例えば、側面９４Ｂに対する挿通口９６、長孔８６の位置などが、側面９４Ａと反対側の側面９４Ｃに対する挿通口９８、長孔８８の位置などを同じにするなど基準とした位置に対して、挿通口９６、９８及び長孔８６、８８などの位置が一定となるようにしても良い。このときには、画像処理装置側で、カセッテにおいて基準とした位置が一定位置となるようにカセッテが装填される構成であればよい。
【００７８】
また、２枚の蓄積性蛍光体シートの移動方向は、交差する方向に限らず、同一方向であっても良い。
【００７９】
図６に示されるカセッテ１００では、筐体１０２の矢印Ｘ方向側の側面９４Ａに、蓄積性蛍光体シート１４Ａに対応する挿通口９６と、蓄積性蛍光体シート１４Ｄに対応する挿通口１０４が形成されている。
【００８０】
また、筐体１０２には、撮像面（図示省略）反対側の面である裏面を形成するリアパネル１０６に、長手方向が矢印Ｘ方向に沿う長孔１０８、長孔１１０が形成され、この長孔１０８、１１０の長手方向に沿って移動可能とされたノブ１１２、１１４が設けられている。これと共に、筐体１０２内には、リアパネル１０６と蓄積性蛍光体シート１４Ｃとの間に、蓄積性蛍光体シート１４Ｃ、１４Ｄに対応するスライド機構（図示省略）が設けられている。
【００８１】
これにより、カセッテ１００では、ノブ１１２を矢印Ｘ方向へ移動することにより、蓄積性蛍光体シート１４Ｃの端部が挿通口９６から突出される。また、カセッテ１００では、ノブ１１４を矢印Ｙ方向へ移動した場合に蓄積性蛍光体シート１４Ｄが挿通口１０４から突出される。
【００８２】
このように構成しているカセッテ１００においても、撮像面側に照射される放射線によって蓄積性蛍光体シート１４Ｃ、１４Ｄに放射線画像情報が記録されたときに、カセッテ１００を形成する部品によって放射線画像情報が損ねられてしまうことがない。
【００８３】
なお、以上説明した本実施の形態では、２枚の蓄積性蛍光体シート１４を収容する構成であれば、変換用フィルタ１６を省略するなど任意の構成のカセッテに適用することができる。
【図面の簡単な説明】
【００８４】
【図１】（Ａ）及び（Ｂ）は本実施の形態に係るカセッテの外観を示す概略斜視図であり、（Ａ）は裏面側を示し、（Ｂ）は撮像面側を示している。
【図２】カセッテの要部を示す分解斜視図である。
【図３】（Ａ）は矢印Ｘ方向に沿って切断したカセッテの要部の概略断面図であり、（Ｂ）は矢印Ｙ方向に沿って切断したカセッテの要部の概略断面図である。
【図４】本実施の形態に適用したカセッテに用いる画像読取装置の一例を示す要部の概略図である。
【図５】カセッテの他の一例を示す概略斜視図である。
【図６】図５と異なるカセッテの他の一例を示す概略斜視図である。
【符号の説明】
【００８５】
１０、８０、１００    カセッテ
１２、８２、１０２    筐体
１４（１４Ａ、１４Ｂ、１４Ｃ、１４Ｄ）    蓄積性蛍光体シート（第１及び第２の蓄積性蛍光体シート）
１６    変換用フィルタ（エネルギー変換用フィルタ）
１８    撮像面
２０    裏面
２２    画像読取装置
２４    フロントパネル
２６、８４、１０６    リアパネル
３０、３２、８６、８８、１０８、１１０    長孔
３４、３６、９０、９２、１１２、１１４    ノブ（第１及び第２のノブ）
３８、４０、９６、９８、１０４    挿通口
４２、４４    スライド機構（第１及び第２の移動機構）
４６、５２    連結バー（第１及び第２の連結バー）
５０、６２    押圧板（第１及び第２の押圧板）
６６    カセッテ装填部
【図１】
2010160392.tif 000003
【図２】
2010160392.tif 000004
【図３】
2010160392.tif 000005
【図４】
2010160392.tif 000006
【図５】
2010160392.tif 000007
【図６】
2010160392.tif 000008